(57)【要約】【課題】変更される頻度が高い設定項目の設定値を簡便に変更することができる画像処理装置、画像処理システム及び画像処理プログラムを提供する。【解決手段】画像処理システム１は、原稿を光学的に読み取って生成した読取画像に対する解析処理を行うスキャナ２−１〜２−ｎと、動作条件に従って動作し、各種の印刷データ及び設定シートの印刷処理を行うプリンタ３−１〜３−ｎと、ネットワーク４とからなる。プリンタ３の制御部３０は、頻度テーブル３１２に基づいて設定シート情報を作成する作成手段３００、設定シートに対して設定値の変更が指定された変更指定情報に基づいて頻度テーブル３１２を更新する更新手段３０１等として機能する。【選択図】図１
2009206580.tif 000002
【特許請求の範囲】
【請求項１】
動作条件を定める複数の設定項目の設定値が変更される度に、その頻度情報を前記設定項目毎に記憶する記憶手段と、
前記記憶手段に前記頻度情報が記憶されている前記複数の設定項目の全部又は一部と、これらに対応する複数の設定値及び前記頻度情報とからなる設定指示情報を作成する作成手段とを備えた画像処理装置。
【請求項２】
前記作成手段が作成する前記設定指示情報は、前記頻度情報が示す頻度順に前記複数の設定項目が配列されるとともに、前記複数の設定項目に対する設定値をそれぞれ指定可能な印刷出力用の画像情報である請求項１に記載の画像処理装置。
【請求項３】
前記作成手段は、前記複数の設定項目の全部又は一部として、指定された設定項目に基づいて前記設定指示情報を作成する請求項１に記載の画像処理装置。
【請求項４】
前記作成手段は、前記設定項目に対応する前記頻度情報が示す値が所定の閾値を超えている当該設定項目に基づいて前記設定指示情報を作成する請求項１に記載の画像処理装置。
【請求項５】
前記作成手段は、前記頻度情報に応じて前記設定項目に順位を付与したとき、前記順位が所定の順位より上位の設定項目に基づいて前記設定指示情報を作成する請求項１に記載の画像処理装置。
【請求項６】
前記作成手段は、関連する複数の設定項目を１つの設定項目として頻度情報を算出し、その算出した前記頻度情報に基づいて前記設定指示情報を作成する請求項１に記載の画像処理装置。
【請求項７】
動作条件を定める複数の設定項目の設定値が変更される度に、その頻度情報を前記設定項目毎に記憶する記憶手段と、
前記記憶手段に前記頻度情報が記憶されている前記複数の設定項目の全部又は一部と、これらに対応する複数の設定値及び前記頻度情報とからなる設定指示情報を作成する作成手段と、
前記作成手段により作成された前記設定指示情報を記憶媒体に印刷する印刷手段と、
前記記憶媒体上に印刷された前記設定指示情報に対して前記設定値を変更するように指定された変更指定情報を前記記録媒体から読み取る読取手段と、
前記読取手段により読み取られた前記変更指定情報に基づいて、前記記憶手段に記憶されている前記頻度情報を更新する更新手段とを備えた画像処理システム。
【請求項８】
動作条件を定める複数の設定項目の設定値が変更される度に、その頻度情報を前記設定項目毎に記憶する記憶手段から前記頻度情報を取得するとともに、前記複数の設定項目の全部又は一部と、これらに対応する複数の設定値及び取得した前記頻度情報とからなる設定指示情報を作成する作成手段をコンピュータに実行させるための画像処理プログラム。
【発明の詳細な説明】
【技術分野】
【０００１】
本発明は、画像処理装置、画像処理システム及び画像処理プログラムに関する。
【背景技術】
【０００２】
従来、複数の印刷設定項目に対する設定値を選択可能なマークシートを作成する画像記録装置が提案されている（例えば、特許文献１参照。）。
【０００３】
この画像記録装置は、複数の印刷設定項目に対する設定値を可視化してレイアウトしたマークシートを作成する作成手段と、マーキングが記入されたマークシートから読み取り解析により設定値を取得し、その設定値に従って画像を記録する記録手段とを備える。
【特許文献１】特開２００５−２２９１９９号公報
【発明の開示】
【発明が解決しようとする課題】
【０００４】
本発明の目的は、本構成を有していない場合に比較して、変更される頻度が高い設定項目の設定値を簡便に変更することができる画像処理装置、画像処理システム及び画像処理プログラムを提供することにある。
【課題を解決するための手段】
【０００５】
本発明の一態様は、上記目的を達成するため、以下の画像処理装置、画像処理システム及び画像処理プログラムを提供する。
【０００６】
［１］動作条件を定める複数の設定項目の設定値が変更される度に、その頻度情報を前記設定項目毎に記憶する記憶手段と、前記記憶手段に前記頻度情報が記憶されている前記複数の設定項目の全部又は一部と、これらに対応する複数の設定値及び前記頻度情報とからなる設定指示情報を作成する作成手段とを備えた画像処理装置。
【０００７】
［２］前記作成手段が作成する前記設定指示情報は、前記頻度情報が示す頻度順に前記複数の設定項目が配列されるとともに、前記複数の設定項目に対する設定値をそれぞれ指定可能な印字出力用の画像情報である前記［１］に記載の画像処理装置。
【０００８】
［３］前記作成手段は、前記複数の設定項目の全部又は一部として、指定された設定項目に基づいて前記設定指示情報を作成する前記［１］に記載の画像処理装置。
【０００９】
［４］前記作成手段は、前記設定項目に対応する前記頻度情報が示す値が所定の閾値を超えている当該設定項目に基づいて前記設定指示情報を作成する前記［１］に記載の画像処理装置。
【００１０】
［５］前記作成手段は、前記頻度情報に応じて前記設定項目に順位を付与したとき、前記順位が所定の順位より上位の設定項目に基づいて前記設定指示情報を作成する前記［１］に記載の画像処理装置。
【００１１】
［６］前記作成手段は、関連する複数の設定項目を１つの設定項目として頻度情報を算出し、その算出した前記頻度情報に基づいて前記設定指示情報を作成する前記［１］に記載の画像処理装置。
【００１２】
［７］動作条件を定める複数の設定項目の設定値が変更される度に、その頻度情報を前記設定項目毎に記憶する記憶手段と、前記記憶手段に前記頻度情報が記憶されている前記複数の設定項目の全部又は一部と、これらに対応する複数の設定値及び前記頻度情報とからなる設定指示情報を作成する作成手段と、前記作成手段により作成された前記設定指示情報を記憶媒体に印刷する印刷手段と、前記記憶媒体上に印刷された前記設定指示情報に対して前記設定値を変更するように指定された変更指定情報を前記記録媒体から読み取る読取手段と、前記読取手段により読み取られた前記変更指定情報に基づいて、前記記憶手段に記憶されている前記頻度情報を更新する更新手段とを備えた画像処理システム。
【００１３】
［８］動作条件を定める複数の設定項目の設定値が変更される度に、その頻度情報を前記設定項目毎に記憶する記憶手段から前記頻度情報を取得するとともに、前記複数の設定項目の全部又は一部と、これらに対応する複数の設定値及び取得した前記頻度情報とからなる設定指示情報を作成する作成手段をコンピュータに実行させるための画像処理プログラム。
【発明の効果】
【００１４】
請求項１に係る画像処理装置によれば、本構成を有していない場合に比較して、変更される頻度が高い設定項目の設定値を簡便に変更することができる。
【００１５】
請求項２に係る画像処理装置によれば、設定項目が配列された方向に従って視認することにより、変更される頻度が高い設定項目から順に設定値を変更することができる。
【００１６】
請求項３に係る画像処理装置によれば、設定指示情報を構成する設定項目を指定することができる。
【００１７】
請求項４に係る画像処理装置によれば、設定指示情報を構成する設定項目を所定の閾値により絞り込むことができる。
【００１８】
請求項５に係る画像処理装置によれば、設定指示情報を構成する設定項目の数を一定にすることができる。
【００１９】
請求項６に係る画像処理装置によれば、関連する複数の設定項目を一組にして取り扱うことができる。
【００２０】
請求項７に係る画像処理システムによれば、本構成を有していない場合に比較して、変更される頻度が高い設定項目の設定値を簡便に変更することができる。
【００２１】
請求項８に係る画像処理プログラムによれば、本構成を有していない場合に比較して、変更される頻度が高い設定項目の設定値を簡便に変更することができる。
【発明を実施するための最良の形態】
【００２２】
［第１の実施の形態］
図１は、本発明の第１の実施の形態に係る画像処理システムの概略構成の一例を示す全体図である。この画像処理システム１は、原稿を光学的に読み取って生成した読取画像に対する解析処理を行う第１乃至第ｎのスキャナ２−１〜２−ｎと、定められた動作条件に従って動作し、各種の印刷データ及び設定シートの印刷処理を行う第１乃至第ｎのプリンタ３−１〜３−ｎと、第１乃至第ｎのプリンタ３−１〜３−ｎ及び第１乃至第ｎのスキャナ２−１〜２−ｎを相互に接続するネットワーク４とから構成されている。
【００２３】
ここで、設定シートとは、各プリンタ３−１〜３−ｎの動作条件を定める複数の設定項目に対する設定値を変更するために、設定シート情報（設定指示情報）に基づいて紙等の記録媒体に印刷されたものである。また、設定シート情報とは、複数の設定項目のうち選択された全部又は一部の設定項目と、これら選択された設定項目に対応する複数の設定値と、頻度情報とからなる。なお、設定シート及び頻度情報の具体例は後述する。
【００２４】
なお、本実施の形態では、設定シートは、設定シート情報に基づいて紙に印刷されるものであるが、設定シート情報を、例えば、電子メール等の通信手段を介して表示画面上に表示してもよいし、フラッシュメモリや光ディスク等の外部記録メディアに出力するようにしてもよい。
【００２５】
ネットワーク４は、有線通信及び無線通信等によりデータの送受信を行うＬＡＮ（ローカルエリアネットワーク）、インターネット等の通信網である。
【００２６】
（スキャナ）
図２は、スキャナ２の概略構成の一例を示すブロック図であり、第１乃至第ｎのスキャナ２−１〜２−ｎの各々を示す。スキャナ２は、各部を制御する、例えば、ＣＰＵ等により実現される制御部２０と、ネットワーク４に接続された、例えば、ネットワークインタフェースカードにより実現される通信部２１と、ディスプレイの表面にタッチパネルを重畳して構成された、例えば、タッチパネルディスプレイや、スタートキー等のハードキーを備えた操作表示部２２と、原稿をイメージセンサ等により光学的に読み取って、デジタルデータとしての読取画像を生成する画像読取部２３と、読取画像に対して所定の文字、マーク等のパターンを認識する解析処理を行う画像解析部２４とから構成されている。
【００２７】
画像解析部２４による解析処理は、読取画像において予め定められた領域のパターンを切り出し、そのパターンに含まれる文字、マーク等と認識辞書とを、例えばパターンマッチング法により比較して、最も類似性の高いものを解析結果とするものである。
【００２８】
（プリンタ）
図３は、プリンタ３の概略構成の一例を示すブロック図であり、第１乃至第ｎのプリンタ３−１〜３−ｎの各々を示す。プリンタ３は、各部を制御する、例えば、ＣＰＵ等により実現される制御部３０と、各種のプログラムやデータ等を記憶するＲＯＭ，ＲＡＭ，ハードディスク等により実現される記憶部３１と、ネットワーク４に接続された、例えば、ネットワークインタフェースカードにより実現される通信部３２と、ディスプレイの表面にタッチパネルを重畳して構成された、例えば、タッチパネルディスプレイや、スタートキー等のハードキーを備えた操作表示部３３と、印刷データをラスタ形式のイメージデータに変換する画像変換処理を行う画像処理部３４と、画像処理部３４により変換されたイメージデータを紙等の記録媒体に印刷する印刷処理を行う印刷処理部３５とから構成されている。
【００２９】
記憶部３１には、画像処理プログラム３１０、設定情報３１１及び頻度テーブル３１２等が記憶されている。
【００３０】
設定情報３１１には、動作条件を定める情報として、複数の設定項目毎に現在の設定値が記憶されている。なお、設定値は、複数の選択候補の中から選択されるものでもよいし、数値等により上限若しくは下限の値、又は範囲を指定されるものでもよい。
【００３１】
図４は、頻度テーブルの一例を示す図である。この頻度テーブル３１２には、頻度情報として、設定項目毎に、設定情報３１１において設定項目の設定値が変更される度に更新される変更回数が記憶されている。なお、変更回数は、所定の期間内に設定値が変更された回数をカウントしたものでもよいし、カウントを開始する所定のタイミングから現在までの累積の回数をカウントしたものでもよい。また、設定値が変更されたか否かの変更判定は、現在の設定値と変更された後の設定値とを比較して判定してもよいし、設定値の基準となる基準値と変更された後の設定値とを比較して判定してもよい。
【００３２】
制御部３０は、画像処理プログラム３１０に従って動作することにより、頻度テーブル３１２に基づいて設定シート情報を作成する作成手段３００、設定シートに対して設定値の変更が指定された変更指定情報に基づいて、頻度テーブル３１２を更新する更新手段３０１等として機能する。
【００３３】
印刷処理部３５は、例えば、電子写真方式、インクジェット方式、感熱転写方式等の各種の方式を用いることができる。なお、印刷データは、図示しないコンピュータ等の指示装置からネットワーク４を介して送信されるデータでもよい。
【００３４】
（第１の実施の形態の動作）
本発明の第１の実施の形態に係る画像処理システム１の動作の一例を図５〜図９を参照して説明する。ここでは、ユーザが、第１のスキャナ２−１及び第１のプリンタ３−１を用いた場合について、図８のフローチャートに従って説明する。
【００３５】
（１）印字項目の指定
まず、ユーザが、第１のプリンタ３−１を操作して設定情報３１１を変更するように変更指示を行うと（図８：Ｓ１）、制御部３０は、画像処理部３４及び印刷処理部３５を介して印字項目指定シートを印刷する（Ｓ２）。
【００３６】
ここで、図５は、印字項目指定シートの一例を示す図である。この印字項目指定シート１１Ａには、その上方から順に、印字項目指定領域１１２、集計期間指定領域１１３及び設定項目指定領域１１４が印刷され、各指定領域１１２〜１１４には、それぞれ複数の選択候補と、それら選択候補毎にユーザがチェックマーク１１１を記入するためのチェックボックス１１０とが設けられている。
【００３７】
印字項目指定領域１１２には、設定シートに印刷する設定項目である印字項目を指定する２つの選択候補として、全ての設定項目を印字する「全項目」と、設定項目指定領域１１４により指定される設定項目を印字する「下記条件に合致した項目」とが印刷されている。
【００３８】
集計期間指定領域１１３には、頻度テーブル３１２に変更回数を集計する所定の期間を指定する選択候補として、例えば、１日、１週間、１ヶ月等の期間と、それらの期間と同時に選択可能な「装置構成変更時」とが印刷されている。「装置構成変更時」が選択された場合には、期間が選択されていても、対象となるプリンタの構成（例えば、トレイユニットや両面印刷ユニットの追加等）が変更されたタイミングで記憶されている各設定項目の変更回数が初期化される。
【００３９】
設定項目指定領域１１４には、印字項目指定領域１１２において「下記条件に合致した項目」が選択された際に印字項目を選択する選択候補として、各設定項目が印刷されている。なお、設定項目は、複数の選択候補を選択可能であって、１つも選択されなかった場合には、「全項目」が選択されたものとみなされる。
【００４０】
そして、ユーザが、その印字項目指定シート１１Ａに対して所望のチェックボックス１１０にチェックマーク１１１を記入し、第１のスキャナ２−１にセットして、操作表示部を介して読取指示を行うと（Ｓ３）、制御部２０は、チェックマーク１１１が記入された印字項目指定シート１１Ａを画像読取部２３により読み取って、読取画像を生成する（Ｓ４）。
【００４１】
次に、画像解析部２４は、その読取画像に対して解析処理を行い、ユーザによりチェックマーク１１１が記入された位置を認識することにより、印字項目指定領域１１２、集計期間指定領域１１３及び設定項目指定領域１１４においてユーザにより指定された内容を示す印字項目指定情報を取得する（Ｓ５）。
【００４２】
そして、制御部２０は、その印字項目指定情報を通信部２１によりネットワーク４を介して第１のプリンタ３−１に送信する。なお、印字項目指定情報の送信先のプリンタ３は、例えば、操作表示部２２により指定されてもよいし、印字項目指定シート１１Ａの所定の領域に記入又は予め印刷がされた送信先を特定する情報に基づいて、画像解析部２４により取得されたものでもよい。
【００４３】
（２）設定シートの印刷
第１のプリンタ３−１の制御部３０は、第１のスキャナ２−１から送信された印字項目指定情報を受け付け、その印字項目指定情報に基づいて設定シートを印刷する（Ｓ１０）。以下に、第１のプリンタ３−１において設定シートを印刷する際の動作の詳細を図９のフローチャートに従って説明する。
【００４４】
第１のプリンタ３−１の制御部３０は、第１のスキャナ２−１からその印字項目指定情報を受け付けると（Ｓ１００）、作成手段３００は、記憶部３１に記憶されている頻度テーブル３１２を参照し、各設定項目の変更回数を取得する（Ｓ１０１）。
【００４５】
次に、作成手段３００は、その受け付けた印字項目指定情報において「全項目」の印字が指定されているか否かを判定し（Ｓ１０２）、「全項目」が指定されている場合には（Ｓ１０２：Ｙｅｓ）、取得した変更回数が多い順に設定項目を配列した設定シート情報を作成する。そして、画像処理部３４及び印刷処理部３５は、その設定シート情報に基づいて設定シートを印刷する（Ｓ１１０）。
【００４６】
一方、作成手段３００は、「全項目」の印字が指定されていない場合には（Ｓ１０２：Ｎｏ）、印字設定項目が１つ以上選択されたか否かを判定する（Ｓ１０３）。そして、１つ以上選択されていない場合には（Ｓ１０３：Ｎｏ）、「全項目」の印字が指定されたものとみなし、上述のステップＳ１１０に進む。
【００４７】
また、上記のステップＳ１０３において、印字設定項目が１つ以上選択されている場合には（Ｓ１０３：Ｙｅｓ）、作成手段３００は、設定項目を１つ選択し（Ｓ１０４）、その選択した設定項目が、印字項目指定情報により印字項目として指定されているか否かを判定し（Ｓ１０５）、指定されている場合には（Ｓ１０５：Ｙｅｓ）、印字項目に決定し（Ｓ１０６）、指定されていない場合には（Ｓ１０５：Ｎｏ）、非印字項目に決定する（Ｓ１０７）。
【００４８】
次に、ステップＳ１０４で選択した設定項目が最後の設定項目となるまで（Ｓ１０８：Ｙｅｓ）、上記のステップＳ１０４〜Ｓ１０７を繰り返し、全ての設定項目に対して、印字項目及び非印字項目のいずれかに決定する。
【００４９】
すなわち、作成手段３００が印字項目を決定する際の動作を図６により模式的に表すと、各設定項目は、印字項目指定情報により印字項目として指定されたか否かに応じて、図６（ａ）に例示するように、印字項目１００と非印字項目とに分別される。そして、図６（ｂ）の抽出テーブル３１３Ａのように、印字項目１００だけが抽出され、さらにその抽出テーブル３１３Ａにおいて変更回数が多い順に設定項目を並び替えて、図６（ｂ）に例示する並び替え後の抽出テーブル３１３Ｂが作成される。なお、変更回数が同じ回数の場合には、例えば、最後に変更された変更日時等の付随情報に基づいて並び替えればよい。
【００５０】
次に、作成手段３００は、印字項目を変更回数が多い順、すなわち、並び替え後の抽出テーブル３１３Ｂにおける設定項目の並び順に配列した設定シート情報を作成する。そして、画像処理部３４及び印刷処理部３５は、その設定シート情報に基づいて設定シートを印刷する（Ｓ１１０）。
【００５１】
ここで、図７は、印字項目が印刷された設定シートの一例を示す図である。この設定シート１２Ａには、印字項目に決定された設定項目１２１Ａ〜１２１Ｅが、その上方から変更回数が多い順に印刷され、それら各設定項目１２１Ａ〜１２１Ｅに対してチェックボックス１２０により設定値を指定する設定値指定領域１２２Ａ〜１２２Ｅが印刷されている。
【００５２】
なお、図７の例では、設定シート１２Ａの上方から変更回数が多い順に設定項目１２１Ａ〜１２１Ｅが配列されているが、変更回数が多い順が識別できればよく、その方向は特に上方からに限られない。また、設定項目を変更回数が多い順に配列せずに、変更回数が多い順序を識別するための順序情報を各設定項目に対応して印刷するようにしてもよい。また、設定シート１２Ａでは、設定値毎にチェックボックス１２０を設けたが、設定シート１２Ａにおいて設定値をそれぞれ指定可能であればよく、例えば、設定値を示す文字列を囲むことにより設定値を指定するようにしてもよい。
【００５３】
（３）設定情報及び頻度テーブルの更新
ユーザは、印字項目指定シート１１Ａと同様に、その設定シート１２Ａに対して、変更したい設定値に対応するチェックボックス１２０にチェックマークを記入し、第１のスキャナ２−１に読取指示を行うと（図８：Ｓ２０）、画像読取部２３は、その設定シート１２Ａに基づく読取画像を生成する（Ｓ２１）。
【００５４】
次に、画像解析部２４は、その読取画像に対して解析処理を行い、チェックマークが記入された位置を認識した結果に基づいて、各設定項目に対する設定値の変更を指定する変更指定情報を取得する（Ｓ２２）。
【００５５】
そして、制御部２０は、その取得した変更指定情報をネットワーク４を介して第１のプリンタ３−１に送信する。
【００５６】
第１のプリンタ３−１の制御部３０は、第１のスキャナ２−１から変更指定情報を受信すると、更新手段３０１は、その変更指定情報に基づいて、設定情報３１１における設定項目の設定値を更新する（Ｓ２３）。また、更新手段３０１は、頻度テーブル３１２に対して、設定値を更新した設定項目に対する変更回数を更新、すなわち、現在の変更回数に「１」を加算するインクリメント処理を行い（Ｓ２４）、終了する。
【００５７】
［第２の実施の形態］
本発明の第２の実施の形態に係る画像処理システム１は、第１の実施の形態と比較して、プリンタ３が、頻度テーブル３１２における変更回数が所定の閾値を越えている設定項目を印字項目に決定する点において異なり、その他の構成は第１の実施の形態と同様である。
【００５８】
（第２の実施の形態の動作）
次に、本発明の第２の実施の形態に係る画像処理システム１の動作の一例を図１０〜図１３を参照して説明する。
【００５９】
（１）印字項目の指定
第１のプリンタ３−１の制御部３０は、ユーザによる変更指示に基づいて、図１０に例示する印字項目指定シート１１Ｂを印刷する。この印字項目指定シート１１Ｂには、図５と同様の印字項目指定領域１１２及び集計期間指定領域１１３の他に、閾値指定領域１１５が設けられている。閾値指定領域１１５には、変更回数に対する閾値を指定するために複数のチェックボックス１１０が印刷されている。なお、図１０は、閾値として「６」を指定する場合のチェックマーク１１１の記入例である。
【００６０】
次に、ユーザが、第１のスキャナ２−１を操作して、その記入済みの印字項目指定シート１１Ｂに対する読取指示を行うと、第１のスキャナ２−１は、その印字項目指定シート１１Ｂに対して、画像読取部２３による読取画像の生成、画像解析部２４による読取画像に対する解析処理を行い、印字項目指定領域１１２、集計期間指定領域１１３及び閾値指定領域１１５においてユーザにより指定された内容を示す印字項目指定情報を取得する。そして、制御部２０は、その印字項目指定情報を第１のプリンタ３−１に送信する。
【００６１】
（２）設定シートの印刷
第１のプリンタ３−１の制御部３０は、第１のスキャナ２−１からその印字項目指定情報を受け付けると（図１３：Ｓ２００）、作成手段３００は、頻度テーブル３１２を参照し（Ｓ２０１）、その受け付けた印字項目指定情報において「全項目」が指定されている場合には（Ｓ２０２：Ｙｅｓ）、第１の実施の形態と同様に、全ての設定項目を含む設定シートが、画像処理部３４及び印刷処理部３５により印刷される（Ｓ２１０）。
【００６２】
一方、作成手段３００は、「全項目」の印字が指定されていない場合には（Ｓ２０２：Ｎｏ）、印字項目指定情報において閾値が指定されたか否かを判定する（Ｓ２０３）。そして、閾値が指定されていない場合には（Ｓ２０３：Ｎｏ）、「全項目」の印字が指定されたものとみなし、上述のステップＳ２１０に進む。
【００６３】
また、上記のステップＳ２０３において、閾値が指定されている場合には（Ｓ２０３：Ｙｅｓ）、作成手段３００は、設定項目を１つ選択し（Ｓ２０４）、その選択した設定項目の変更回数と閾値とを比較し（Ｓ２０５）、変更回数が閾値以上の場合には（Ｓ２０５：Ｎｏ）、印字項目に決定し（Ｓ２０６）、変更回数が閾値未満の場合には（Ｓ２０５：Ｙｅｓ）、非印字項目に決定する（Ｓ２０７）。そして、最後の設定項目となるまで（Ｓ２０８：Ｙｅｓ）、上記の動作を繰り返し、全ての設定項目に対して印字項目及び非印字項目のいずれかに決定する。
【００６４】
すなわち、印字項目を決定する際の動作を図１１により模式的に表すと、図１１（ａ）の頻度テーブル３１２を変更回数が多い順に設定項目を並び替えて、図１１（ｂ）の並び替え後の頻度テーブル３１４が作成され、その並び替え後の頻度テーブル３１４において、変更回数が閾値１０２である、例えば「６」以上の設定項目が印字項目１００に決定され、閾値１０２未満の設定項目が非印字項目１０１に決定される。
【００６５】
そして、作成手段３００は、印字項目１００を変更回数が多い順に配列した設定シート情報を作成し、画像処理部３４及び印刷処理部３５は、図１２に例示する設定シート１２Ｂを印刷する（Ｓ２１０）。この設定シート１２Ｂには、印字項目１００に決定された設定項目１２１Ａ〜１２１Ｃと、設定項目１２１Ａ〜１２１Ｃに対応する設定値指定領域１２２Ａ〜１２２Ｃとが変更回数が多い順に印刷されている。
【００６６】
なお、チェックマークが記入された設定シート１２Ｂに基づいて、更新手段３０１が設定情報３１１及び頻度テーブル３１２を更新する処理は、第１の実施の形態と同様のため、その説明を省略する。
【００６７】
［第３の実施の形態］
本発明の第３の実施の形態に係る画像処理システム１は、第１の実施の形態と比較して、プリンタ３が、頻度テーブル３１２に記憶された変更回数が多い順に各設定項目に順位を付与した際に、その順位が所定の順位より上位の設定項目を印字項目に決定する点において異なり、その他の構成は第１の実施の形態と同様である。
【００６８】
（第３の実施の形態の動作）
次に、本発明の第３の実施の形態に係る画像処理システム１の動作の一例を図１４〜図１７を参照して説明する。
【００６９】
（１）印字項目の指定
第１のプリンタ３−１の制御部３０は、ユーザによる変更指示に基づいて、図１４に例示する印字項目指定シート１１Ｃを印刷する。この印字項目指定シート１１Ｃには、図５と同様の印字項目指定領域１１２及び集計期間指定領域１１３の他に、設定順位指定領域１１６が設けられている。設定順位指定領域１１６には、各設定項目にそれぞれ付けられた順位に対して、印字項目及び非印字項目の境界となる設定順位を指定するために複数のチェックボックス１１０が印刷されている。なお、図１４は、設定順位指定領域１１６において設定順位として「５」を指定する場合のチェックマーク１１１の記入例である。
【００７０】
次に、ユーザが、第１のスキャナ２−１を操作して、その記入済みの印字項目指定シート１１Ｃに対する読取指示を行うと、第１のスキャナ２−１は、その印字項目指定シート１１Ｃに対して、画像読取部２３による読取画像の生成、画像解析部２４による読取画像に対する解析処理を行い、印字項目指定領域１１２、集計期間指定領域１１３及び設定順位指定領域１１６においてユーザにより指定された内容を示す印字項目指定情報を取得する。そして、制御部２０は、その印字項目指定情報を第１のプリンタ３−１に送信する。
【００７１】
（２）設定シートの印刷
第１のプリンタ３−１の制御部３０は、第１のスキャナ２−１からその印字項目指定情報を受け付けると（図１７：Ｓ３００）、作成手段３００は、頻度テーブル３１２を参照し（Ｓ３０１）、その受け付けた印字項目指定情報において「全項目」が指定されている場合には（Ｓ３０２：Ｙｅｓ）、第１の実施の形態と同様に、全ての設定項目を含む設定シートが印刷される（Ｓ３１０）。
【００７２】
一方、作成手段３００は、「全項目」の印字が指定されていない場合には（Ｓ３０２：Ｎｏ）、設定順位が指定されたか否かを判定する（Ｓ３０３）。そして、設定順位が指定されていない場合には（Ｓ３０３：Ｎｏ）、「全項目」の印字が指定されたものとみなし、上述のステップＳ３１０に進む。
【００７３】
上記のステップＳ３０３において、設定順位が指定されている場合には（Ｓ３０３：Ｙｅｓ）、作成手段３００は、設定項目を１つ選択し（Ｓ３０４）、その選択した設定項目に付けられた順位と設定順位とを比較し（Ｓ３０５）、順位が設定順位と同位又は上位の場合には（Ｓ３０５：Ｎｏ）、印字項目に決定し（Ｓ３０６）、順位が設定順位より下位の場合には（Ｓ３０５：Ｙｅｓ）、非印字項目に決定する（Ｓ３０７）。そして、最後の設定項目となるまで（Ｓ３０８：Ｙｅｓ）、上記の動作を繰り返し、全ての設定項目に対して印字項目及び非印字項目のいずれかに決定する。
【００７４】
すなわち、印字項目を決定する際の動作を図１５により模式的に表すと、図１５（ａ）の頻度テーブル３１２に対して変更回数が多い順に順位を付与して、その順位順に設定項目を並び替えて、図１５（ｂ）の並び替え後の頻度テーブル３１５が作成される。そして、その並び替え後の頻度テーブル３１５において、順位が設定順位１０３である、例えば「５位」と同位又は上位の設定項目が印字項目１００に決定され、設定順位１０３より下位の設定項目が非印字項目１０１に決定される。
【００７５】
そして、作成手段３００は、印字項目１００を順位順に配列した設定シート情報を作成し、画像処理部３４及び印刷処理部３５は、図１６に例示する設定シート１２Ｃを印刷する（Ｓ３１０）。この設定シート１２Ｃには、印字項目１００に決定された設定項目１２１Ａ〜１２１Ｅと、設定項目１２１Ａ〜１２１Ｅに対応する設定値指定領域１２２Ａ〜１２２Ｅとが順位順に印刷されている。
【００７６】
なお、チェックマークが記入された設定シート１２Ｃに基づいて、更新手段３０１が設定情報３１１及び頻度テーブル３１２を更新する処理は、第１の実施の形態と同様のため、その説明を省略する。
【００７７】
［第４の実施の形態］
本発明の第４の実施の形態に係る画像処理システム１は、第２の実施の形態と比較して、関連する複数の設定項目を１つの設定項目に集約するグルーピングを行い、グルーピング対象の複数の設定項目に対する変更回数を加算した加算回数が所定の閾値を越えている場合に、それら複数の設定項目を一組として印字項目に決定する点において異なり、その他の構成は第２の実施の形態と同様である。
【００７８】
関連する複数の設定項目とは、例えば、一方の設定項目の設定値を変更するとき、他方の設定項目の設定値を合わせて変更したり、設定値に対する制約が発生したりするような関係にあるものをいう。なお、関連する複数の設定項目は、２つに限られず、３つ以上でもよい。
【００７９】
（第４の実施の形態の動作）
次に、本発明の第４の実施の形態に係る画像処理システム１の動作の一例を図１８〜図２１を参照して説明する。
【００８０】
（１）印字項目の指定
第１のプリンタ３−１の制御部３０は、ユーザによる変更指示に基づいて、図１８に例示する印字項目指定シート１１Ｄを印刷する。この印字項目指定シート１１Ｄには、図１０と同様の印字項目指定領域１１２、集計期間指定領域１１３及び閾値指定領域１１５の他に、グルーピングを行うか否かを指定するグルーピング指定領域１１７が設けられている。
【００８１】
次に、ユーザが、第１のスキャナ２−１を操作して、その記入済みの印字項目指定シート１１Ｄに対する読取指示を行うと、第１のスキャナ２−１は、その印字項目指定シート１１Ｄに対して、画像読取部２３による読取画像の生成、画像解析部２４による読取画像に対する解析処理を行い、印字項目指定領域１１２、集計期間指定領域１１３、閾値指定領域１１５及びグルーピング指定領域１１７においてユーザにより指定された内容を示す印字項目指定情報を取得する。そして、制御部２０は、その印字項目指定情報を第１のプリンタ３−１に送信する。
【００８２】
（２）設定シートの印刷
第１のプリンタ３−１の制御部３０は、第１のスキャナ２−１からその印字項目指定情報を受け付けると（図２１：Ｓ４００）、作成手段３００は、頻度テーブル３１２を参照し（Ｓ４０１）、その受け付けた印字項目指定情報において「全項目」が指定されている場合には（Ｓ４０２：Ｙｅｓ）、第１の実施の形態と同様に、全ての設定項目を含む設定シートが印刷される（Ｓ４１１）。
【００８３】
一方、作成手段３００は、「全項目」の印字が指定されていない場合には（Ｓ４０２：Ｎｏ）、グルーピングが指定されているか否かを判定し（Ｓ４０３）、グルーピングが指定されている場合には（Ｓ４０３：Ｙｅｓ）、関連する設定項目を１つの設定項目に集約するグルーピングを行う（Ｓ４０４）。
【００８４】
次に、作成手段３００は、閾値が指定されたか否かを判定し（Ｓ４０５）、閾値が指定されていない場合には（Ｓ４０５：Ｎｏ）、「全項目」の印字が指定されたものとみなし、上述のステップＳ４１１に進む。
【００８５】
上記のステップＳ４０５において、閾値が指定されている場合には（Ｓ４０５：Ｙｅｓ）、作成手段３００は、設定項目を１つ選択し（Ｓ４０６）、その選択した設定項目の変更回数と閾値とを比較し（Ｓ４０７）、変更回数が閾値以上の場合には（Ｓ４０７：Ｎｏ）、印字項目に決定し（Ｓ４０８）、変更回数が閾値未満の場合には（Ｓ４０７：Ｙｅｓ）、非印字項目に決定する（Ｓ４０９）。そして、最後の設定項目となるまで（Ｓ４１０：Ｙｅｓ）、上記の動作を繰り返し、全ての設定項目に対して印字項目及び非印字項目のいずれかに決定する。
【００８６】
すなわち、印字項目を決定する際の動作を図１９により模式的に表すと、図１９（ａ）に例示する頻度テーブル３１２において、「タイムアウト」と「タイムアウト時間」とがグルーピングの対象となるグルーピング項目１０４である場合には、図１９（ｂ）に例示するグルーピング後の頻度テーブル３１６Ａのように、１つの設定項目として扱われ、その変更回数は、グルーピング前のそれぞれの変更回数を加算した回数になる。そして、グルーピング後の頻度テーブル３１６Ａを変更回数が多い順に設定項目を並び替えた図１９（ｃ）の並び替え後の頻度テーブル３１６Ｂにおいて、変更回数が閾値１０２である、例えば「３」以上の設定項目が印字項目１００に決定され、閾値１０２未満の設定項目が非印字項目１０１に決定される。
【００８７】
そして、作成手段３００は、印字項目１００を変更回数が多い順に配列した設定シート情報を作成し、画像処理部３４及び印刷処理部３５は、図２１に例示する設定シート１２Ｄを印刷する（Ｓ４１１）。この設定シート１２Ｄには、第２の実施の形態と同様の内容が印刷されている。
【００８８】
なお、チェックマークが記入された設定シート１２Ｄに基づいて、更新手段３０１が設定情報３１１及び頻度テーブル３１２を更新する処理は、第１の実施の形態と同様のため、その説明を省略する。
【００８９】
［他の実施の形態］
なお、本発明は、上記各実施の形態に限定されず、本発明の趣旨を逸脱しない範囲内で種々な変形が可能である。例えば、上記の各実施の形態では、設定シートは、プリンタ３の動作条件を対象とするものであるが、定められた動作条件に従って動作する装置であれば、例えば、スキャナ２や複合機等を対象にしてもよい。
【００９０】
また、上記各実施の形態では、変更指示に対して印字項目指定シートを印刷するようにしたが、スキャナ２の操作表示部２２又はプリンタ３の操作表示部３３に印字項目指定シートと同等の画面を表示するようにしてもよい。
【００９１】
また、上記各実施の形態では、頻度テーブル３１２は、プリンタ３に個別に設けられているが、例えば、複数のプリンタ３に対して１つの頻度テーブルを設けるようにしてもよいし、ユーザや複数のユーザからなるグループ等の管理単位毎に頻度テーブルを設けるようにしてもよい。
【００９２】
また、上記各実施の形態では、プリンタ３の作成手段３００及び更新手段３０１を、制御部３０と画像処理プログラム３１０とによって実現したが、それらの一部または全部を特定用途向け集積回路（ＡＳＩＣ：Application Specific IＣ）等のハードウェアによって実現してもよい。
【００９３】
また、上記各実施の形態で使用される画像処理プログラムは、ＣＤ−ＲＯＭ等の記録媒体から装置内の記憶部に読み込んでもよく、インターネット等のネットワークに接続されているサーバ等から装置内の記憶部にダウンロードしてもよい。
【００９４】
また、本発明の趣旨を逸脱しない範囲内で上記各実施の形態の構成要素を任意に組み合わせることができる。例えば、上記各実施の形態における画像処理システム１は、スキャナ２及びプリンタ３が有する機能やデータ等を画像処理システム１全体として備えていればよく、例えば、スキャナ２の画像解析部がプリンタ３に備えられていてもよいし、プリンタ３の作成手段３００がスキャナ２に備えられていてもよい。また、それらの機能やデータ等が、例えば、複合機等の１つの装置に備えられていてもよいし、３つ以上の装置（例えば、さらにサーバ等の管理装置を追加した構成）に分割して備えられていてもよい。
【００９５】
また、第４の実施の形態では、グルーピングを行った加算回数に対して、第２の実施の形態と同様に閾値を用いて印字項目を決定したが、上記各実施における印字項目を決定する際の動作は、任意に組み合わせが可能であり、例えば、閾値と設定順位とを組み合わせてもよいし、さらにグルーピングを行うようにしてもよい。
【図面の簡単な説明】
【００９６】
【図１】図１は、第１の実施の形態に係る画像処理システムの概略構成の一例を示す全体図である。
【図２】図２は、スキャナの概略構成の一例を示すブロック図である。
【図３】図３は、プリンタの概略構成の一例を示すブロック図である。
【図４】図４は、頻度テーブルの一例を示す図である。
【図５】図５は、第１の実施の形態に係る印字項目指定シートの一例を示す図である。
【図６】図６（ａ）は、頻度テーブルの一例を示し、図６（ｂ）は、図６（ａ）から印字項目を抽出した抽出テーブルの一例を示し、図６（ｃ）は、図６（ｂ）を変更回数順に並び替えた抽出テーブルの一例を示す図である。
【図７】図７は、印字項目に決定された設定項目が印刷された設定シートの一例を示す図である。
【図８】図８は、画像処理システムにおける動作の一例を示すフローチャートである。
【図９】図９は、第１の実施の形態に係るプリンタにおける動作の一例を示すフローチャートである。
【図１０】図１０は、第１の実施の形態に係る印字項目指定シートの一例を示す図である。
【図１１】図１１（ａ）は、頻度テーブルの一例を示し、図１１（ｂ）は、図１１（ａ）を変更回数順に並び替えた抽出テーブルの一例を示す図である。
【図１２】図１２は、閾値により印字項目に決定された設定項目が印刷された設定シートの一例を示す図である。
【図１３】図１３は、第２の実施の形態に係るプリンタにおける動作の一例を示すフローチャートである。
【図１４】図１４は、第３の実施の形態に係る印字項目指定シートの一例を示す図である。
【図１５】図１５（ａ）は、頻度テーブルの一例を示し、図１５（ｂ）は、図１５（ａ）を順位順で並び替えた抽出テーブルの一例を示す図である。
【図１６】図１６は、設定順位により印字項目に決定された設定項目が印刷された設定シートの一例を示す図である。
【図１７】図１７は、第３の実施の形態に係るプリンタにおける動作の一例を示すフローチャートである。
【図１８】図１８は、第４の実施の形態に係る印字項目指定シートの一例を示す図である。
【図１９】図１９（ａ）は、頻度テーブルの一例を示し、図１９（ｂ）は、図１９（ａ）に対してグルーピングを行った抽出テーブルの一例を示し、図１９（ｃ）は、図１９（ｂ）を変更回数順に並び替えた抽出テーブルの一例を示す図である。
【図２０】図２０は、グルーピングにより印字項目に決定された設定項目が印刷された設定シートの一例を示す図である。
【図２１】図２１は、第４の実施の形態に係るプリンタにおける動作の一例を示すフローチャートである。
【符号の説明】
【００９７】
１…画像処理システム、２，２−１〜２−ｎ…スキャナ、３，３−１〜３−ｎ…プリンタ、４…ネットワーク、１１Ａ〜１１Ｄ…印字項目指定シート、１２Ａ〜１２Ｄ…設定シート、２０…制御部、２１…通信部、２２…操作表示部、２３…画像読取部、２４…画像解析部、３０…制御部、３１…記憶部、３２…通信部、３３…操作表示部、３４…画像処理部、３５…印刷処理部、１００…印字項目、１０１…非印字項目、１０２…閾値、１０３…設定順位、１０４…グルーピング項目、１１０…チェックボックス、１１１…チェックマーク、１１２…印字項目指定領域、１１３…集計期間指定領域、１１４…設定項目指定領域、１１５…閾値指定領域、１１６…設定順位指定領域、１１７…グルーピング指定領域、１２０…チェックボックス、１２１Ａ〜１２１Ｇ…設定項目、１２２Ａ〜１２２Ｇ…設定値指定領域、３００…作成手段、３０１…更新手段、３１０…画像処理プログラム、３１１…設定情報、３１２…頻度テーブル、３１３Ａ…抽出テーブル、３１３Ｂ…並び替え後の抽出テーブル、３１４，３１５…並び替え後の頻度テーブル、３１６Ａ…グルーピング後の頻度テーブル、３１６Ｂ…並び替え後の頻度テーブル
【図１】
2009206580.tif 000003
【図２】
2009206580.tif 000004
【図３】
2009206580.tif 000005
【図４】
2009206580.tif 000006
【図５】
2009206580.tif 000007
【図６】
2009206580.tif 000008
【図７】
2009206580.tif 000009
【図８】
2009206580.tif 000010
【図９】
2009206580.tif 000011
【図１０】
2009206580.tif 000012
【図１１】
2009206580.tif 000013
【図１２】
2009206580.tif 000014
【図１３】
2009206580.tif 000015
【図１４】
2009206580.tif 000016
【図１５】
2009206580.tif 000017
【図１６】
2009206580.tif 000018
【図１７】
2009206580.tif 000019
【図１８】
2009206580.tif 000020
【図１９】
2009206580.tif 000021
【図２０】
2009206580.tif 000022
【図２１】
2009206580.tif 000023